(57)【特許請求の範囲】
【請求項１】
熱融着繊維で形成された繊維層の内部に吸収性ポリマーが混入されていて、液体の吸収により膨張するシート状の吸収体であって、
一方のシート面にシート長手方向に延びる溝部が全長に亘って形成されており、
他方のシート面を形成する第１吸収層と、
前記一方のシート面を形成し、シート幅方向に間隔をあけて前記第１吸収層に積層された複数の第２吸収層と、
を有し、
前記溝部は、隣り合う前記第２吸収層のそれぞれの対向面と前記第１吸収層の表面とで形成されており、
前記第１吸収層及び前記第２吸収層は、それぞれ熱融着繊維で形成された繊維層であって該繊維層の内部に吸収性ポリマーが混入されており、
前記第２吸収層の単位面積当たりの吸収性ポリマーの含有量が前記第１吸収層の単位面積当たりの吸収性ポリマーの含有量よりも多く、
前記第２吸収層の前記第１吸収層と反対側の部分を形成する繊維には、前記第２吸収層の前記第１吸収層側の部分を形成する繊維よりも、繊維の親水性を持続させる耐久親水性が付与されている、吸収体。
【請求項２】
前記第１吸収層の前記第２吸収層と反対側の部分を形成する繊維には、前記第１吸収層の前記第２吸収層側の部分を形成する繊維よりも、繊維の親水性を持続させる耐久親水性が付与されている、請求項１に記載の吸収体。
【請求項３】
前記第２吸収層は、前記第１吸収層のシート幅方向の中央線を挟んでシート幅方向両側に一対配置されている、請求項１又は請求項２に記載の吸収体。
【請求項４】
請求項１〜請求項３のいずれか１項に記載の吸収体を用いた使い捨ておむつであって、
前記吸収体と、前記吸収体を包む液透過性を有するラップシートと、を含んで構成される吸収性本体と、
前記吸収性本体の肌側に配置された液透過性を有する肌側シート材と、
前記吸収性本体の肌側と反対側に配置された液不透過性且つ透湿性を有する非肌側シート材と、
を備え、
前記吸収体の溝部が形成された一方のシート面が非肌側シート材側に位置し、前記吸収体の他方のシート面が非肌側シート材側に位置する、使い捨ておむつ。
【発明の詳細な説明】
【技術分野】
【０００１】
本開示は、吸収体及び使い捨ておむつに関する。
【背景技術】
【０００２】
従来から、使い捨ておむつの吸収体として、パルプ繊維等の液体吸収性繊維によって形成される繊維層に吸収性ポリマーを含有させたシート状の吸収性コアが用いられている（例えば、特許文献１参照）。
【先行技術文献】
【特許文献】
【０００３】
【特許文献１】特開２０１８−９９４３９号公報
【発明の概要】
【発明が解決しようとする課題】
【０００４】
特許文献１に開示された技術では、両シート面が平坦状とされた吸収性コアを用いて、液体を周囲に拡散させながら吸収することで吸収性を向上させているが、市場では、更なる吸収性の向上が望まれている。
【０００５】
上記事実を考慮して、本開示の一態様は、シート状の吸収体において、液体のシート長手方向の拡散を早めて液体の吸収性を向上させた吸収体、及びこの吸収体を用いた使い捨ておむつを提供することを目的とする。
【課題を解決するための手段】
【０００６】
本開示の第１態様の吸収体は、吸収性ポリマーを含有し、液体の吸収により膨張するシート状の吸収体であって、一方のシート面にシート長手方向に延びる溝部が形成されている。
【０００７】
第１態様の吸収体には、一方のシート面にシート長手方向に延びる溝部が形成されている。ここで、上記吸収体に対して一方のシート面側から液体が流入した場合、流入した液体の一部が溝部を通ってシート長手方向に移動しながら吸収体に吸収される。このように上記吸収体では、一方のシート面に溝部を形成するため、例えば、一方のシート面が平坦な構成と比べて、液体のシート長手方向の拡散を早めることができる。これにより、上記吸収体の吸収性が向上する。
【０００８】
本開示の第２態様の吸収体は、第１態様の吸収体において、前記溝部が全長に亘って形成されている。
【０００９】
第２態様の吸収体では、溝部が全長に亘って形成されているため、例えば、溝部を断続的に形成する構成と比べて、液体が吸収体のシート長手方向の両端まで連続して移動可能であり、液体をより広い範囲に拡散させることができる。これにより、液体のシート長手方向の拡散をより早めることができる。
【００１０】
本開示の第３態様の吸収体は、第２態様の吸収体において、他方のシート面を形成する第１吸収層と、前記一方のシート面を形成し、シート幅方向に間隔をあけて前記第１吸収層に積層された複数の第２吸収層と、を有し、前記溝部は、隣り合う前記第２吸収層のそれぞれの対向面と前記第１吸収層の表面とで形成されている。
【００１１】
第３態様の吸収体では、複数の第２吸収層がシート幅方向に間隔をあけて第１吸収層に積層されて、隣り合う第２吸収層のそれぞれの対向面と第１吸収層の表面とで溝部が形成されている。このように上記吸収体では、第１吸収層に複数の第２吸収層を積層することで溝部が形成されるため、例えば、一層の吸収層に溝部が加工された吸収体と比べて、製造が容易になる。
【００１２】
本開示の第４態様の吸収体は、第３態様の吸収体において、前記第１吸収層及び前記第２吸収層は、それぞれ吸収性ポリマーを含有する繊維層であり、前記第２吸収層の単位面積当たりの吸収性ポリマーの含有量が前記第１吸収層の単位面積当たりの吸収性ポリマーの含有量よりも多い。
【００１３】
第４態様の吸収体では、第２吸収層の単位面積当たりの吸収性ポリマーの含有量が第１吸収層の単位面積当たりの吸収性ポリマーの含有量よりも多いため、例えば、第１吸収層及び第２吸収層の単位面積当たりの吸収性ポリマーの含有量が同じ吸収体と比べて、液体吸収時における第２吸収層の厚み方向の膨張量が大きくなり、溝部の溝深さが深くなる。このように上記吸収体では、液体を吸収することで溝部の溝深さが深くなるため、溝部を通してより多くの液体をシート長手方向に拡散させることが可能となり、液体の吸収性が向上する。
【００１４】
本開示の第５態様の吸収体は、第４態様の吸収体において、前記第２吸収層の前記第１吸収層と反対側の部分を形成する繊維には、前記第２吸収層の前記第１吸収層側の部分を形成する繊維よりも、繊維の親水性を持続させる耐久親水性が付与されている。
【００１５】
第５態様の吸収体では、第２吸収層の第１吸収層と反対側の部分を形成する繊維に耐久親水性が付与され、第２吸収層の第１吸収層側の部分を形成する繊維に一般的な親水性（耐久親水性と比べて、繊維の親水性を持続させる効果がない親水性）が付与されている。
ここで、上記吸収体は、液体吸収初期では、第１吸収層と、第２吸収層の一般的な親水性が付与された部分とで主に液体が吸収される。そして、液体吸収中期以降において、第２吸収層の一般的な親水性が付与された部分の親水性の低下にともない吸収性が低下しても、第２吸収層の耐久親水性が付与された部分によって液体を吸収することが可能なため、液体の逆戻り抑制効果を期待できる。
【００１６】
本開示の第６態様の吸収体は、第３態様〜第５態様のいずれか一態様の吸収体において、前記第２吸収層は、前記第１吸収層のシート幅方向の中央線を挟んでシート幅方向両側に一対配置されている。
【００１７】
第６態様の吸収体では、第２吸収層を第１吸収層のシート幅方向の中央線を挟んでシート幅方向両側に一対配置しているため、例えば、第２吸収層を３つ以上形成する構成と比べて、第２吸収層を構成する部材の部品点数を減らすことができる。
【００１８】
本開示の第７態様の使い捨ておむつは、第１態様〜第６態様のいずれか１態様の吸収体を用いた使い捨ておむつであって、前記吸収体と、前記吸収体を包む液透過性を有するラップシートと、を含んで構成される吸収性本体と、前記吸収性本体の肌側に配置された液透過性を有する肌側シート材と、前記吸収性本体の肌側と反対側に配置された液不透過性且つ透湿性を有する非肌側シート材と、を備え、前記吸収体の溝部が形成された一方のシート面が非肌側シート材側に位置し、前記吸収体の他方のシート面が非肌側シート材側に位置する。
【００１９】
第７態様の使い捨ておむつでは、液体のシート長手方向の拡散を早めて液体の吸収性を向上させられる吸収体を用いるため、着用者の快適性が向上する。
【発明の効果】
【００２０】
本開示によれば、シート状の吸収体において、液体のシート長手方向の拡散を早めて液体の吸収性を向上させた吸収体、及びこの吸収体を用いた使い捨ておむつを提供することができる。
【図面の簡単な説明】
【００２１】
【図１】本開示の一実施形態の吸収体を用いた使い捨ておむつの展開且つ伸長させた状態を示す平面図である。
【図２】図１の使い捨ておむつの中央帯状領域における前部及び股下部を展開且つ伸長させた状態を示す平面図である。
【図３】図２の３Ｘ−３Ｘ線に沿った断面の概略図である。
【図４】本開示の一実施形態の吸収体の展開且つ伸長させた状態を示す平面図である。
【図５】図４の５Ｘ−５Ｘ線に沿った断面の概略図である。
【発明を実施するための形態】
【００２２】
以下、図面を参照しながら本開示の一実施形態の吸収体及び使い捨ておむつについて説明する。図１は、おむつを展開且つ伸長させた状態について示す平面図である。なお、おむつを展開且つ伸長させた状態とは、おむつの展開状態において、おむつに生じていた皺が実質的に視認されなくなる程に伸長させた状態であり、おむつを構成する各部材（例えば、後述するトップシート等）の寸法がその部材単体の寸法と一致又はそれに近い長さになるまでおむつが伸長した状態である。
【００２３】
（使い捨ておむつ）
本実施形態のおむつ２０は、所謂オープンタイプの使い捨ておむつであり、図１に示されるように、前部２２と、股下部２４と、後部２６とを有している。前部２２は、着用者の前部（腹側、前胴回り）に位置することになる部分である。また、後部２６は、着用者の後部（背側、後胴回り）に位置することになる部分である。股下部２４は、前部２２と後部２６との間に位置することになる部分である。
【００２４】
以下では、図１に示されるように、おむつ２０の各方向を定義する。前部２２から後部２６に向かう方向をおむつ２０の長手方向（図１では矢印Ｌで示す方向）とし、おむつ２０の長手方向と直交する方向をおむつ２０の幅方向（図１では矢印Ｗで示す方向）とする。また、図３に示されるように、おむつ２０の長手方向及び幅方向と直交する方向をおむつ２０の厚み方向とし、おむつ２０の厚み方向で着用者の肌の側を肌側（図３では矢印ＩＮで示す側）とし、その逆側を非肌側とする。
【００２５】
おむつ２０は、中央帯状領域２８と、サイドフラップ３０とを有する。
【００２６】
中央帯状領域２８は、おむつ２０の幅方向の中央部に位置する帯状の領域（図１参照）であり、前部２２、股下部２４及び後部２６に亘っている。この中央帯状領域２８は、おむつ２０において、着用者によって排泄された尿等の液体を吸収し保持する部位である。この中央帯状領域２８は、主に、吸収性本体４０、トップシート４２（本開示における肌側シート材の一例）、防漏シート４４（本開示における非肌側シート材の一例）及びバックシート４６を有する（図３参照）。
【００２７】
吸収性本体４０は、尿等の排泄物を吸収することが可能な部材である。この吸収性本体４０については詳細を後述する。
【００２８】
トップシート４２は、吸収性本体４０の肌側に配置された液透過性の部材である。
【００２９】
防漏シート４４は、吸収性本体４０の非肌側に配置された液不透過性と透湿性を有する部材である。
【００３０】
バックシート４６は、おむつ２０の非肌側の外装を構成する部材（外装シート）であり、例えば不織布で構成されている。このバックシート４６と吸収性本体４０との間に防漏シート４４が配置されている（図３参照）。
【００３１】
中央帯状領域２８の少なくとも股下部２４には、吸収性本体４０とバックシート４６との間に、おむつ２０の長手方向に伸縮可能な一対の脚回り弾性部材（図示せず）の一例としての糸ゴムが設けられている。この脚回り弾性部材は、股下部２４の中央帯状領域２８に伸縮性を付与している。この脚回り弾性部材によって中央帯状領域２８の股下部２４に対して長手方向に沿った収縮力が発現され、おむつ２０のフィット感が向上し、且つ、排泄物がおむつ２０の外部に漏れるのを抑制しやすくなる。
【００３２】
中央帯状領域２８の前部２２には、ターゲットテープ５０が設けられている（図１参照）。ターゲットテープ５０は、前部２２のバックシート４６の非肌側に配置されている。このターゲットテープ５０は、ファスニングテープ４８の係合部と係合可能な部材であり、例えば不織布によって形成されている。
【００３３】
サイドフラップ３０は、中央帯状領域２８の少なくとも後部２６の幅方向の両側部に位置する部位である（図１参照）。これらのサイドフラップ３０のおむつ２０の幅方向両端側には、係合部を有するファスニングテープ４８がそれぞれ設けられている。これらのファスニングテープ４８は、例えば、面ファスナーであり、中央帯状領域２８の前部２２に設けられたターゲットテープ５０に貼り付けることが可能である。
【００３４】
（吸収体）
吸収性本体４０は、図５に示されるように、吸収体５２と、この吸収体５２を包む液透過性を有するラップシート５４とを含んで構成されている。なお、以下では、吸収体５２の長手方向をシート長手方向（図４における矢印ＳＬで示す方向）、吸収体５２の幅方向をシート幅方向（図４における矢印ＳＷで示す方向）、吸収体５２の厚み方向をシート厚み方向（図５における矢印ＳＴで示す方向）として記載する。また、吸収体の５２のシート長手方向、シート幅方向、シート厚み方向は、それぞれおむつ２０の長手方向、幅方向、厚み方向に対応している。
【００３５】
吸収体５２は、吸収性ポリマーを含有し、液体の吸収により膨張するシート状の吸収体である。この吸収体５２の一方のシート面５２Ａには、シート長手方向に沿って延びる溝部５６が形成されている。この溝部５６は、吸収体５２の全長に亘って形成されている。すなわち、溝部５６は、吸収体５２のシート長手方向の一端から他端までシート長手方向に沿って連続して延びており、吸収体５２のシート長手方向の両端にそれぞれ開口している。具体的には、吸収体５２は、他方のシート面５２Ｂを形成する第１吸収層５８と、一方のシート面５２Ａを形成し、シート幅方向に間隔をあけて第１吸収層５８に積層された複数の第２吸収層６０と、を有しており、溝部５６は、隣り合う第２吸収層６０のそれぞれの対向面６０Ｓと第１吸収層５８の表面５８Ｓとで形成されている。なお、本実施形態では、第２吸収層６０が第１吸収層５８のシート幅方向の中央線ＣＬを挟んでシート幅方向両側に一対配置されている。このため、溝部５６は、第１吸収層５８の中央線ＣＬ上に該中央線ＣＬに沿って形成されている。また、本実施形態では、一対の第２吸収層６０が同一寸法形状とされている。
【００３６】
また、図５に示されるように、吸収体５２を構成する第１吸収層５８及び第２吸収層６０のそれぞれの厚みは、略同じ厚みになっている。
【００３７】
吸収体５２を構成する第１吸収層５８及び第２吸収層６０は、それぞれ吸収性ポリマーを含有する繊維層である。具体的には、第１吸収層５８及び第２吸収層６０は、熱融着繊維（例えば、ポリエチレン繊維、ポリプロピレン繊維等のポリオレフィン系繊維）を所定形状に成形した繊維層であり、その内部には吸収性ポリマー（所謂ＳＡＰ）等が混入されている。なお、本実施形態では、繊維層としてポリオレフィン系繊維を用いたエアスルー不織布を用いているが、本開示はこの構成に限定されない。
【００３８】
また、吸収体５２では、第２吸収層６０における単位面積当たりの吸収性ポリマーの含有量Ｃ２が、第１吸収層５８における単位面積当たりの吸収性ポリマーの含有量Ｃ１よりも多くなっている。具体的には、含有量Ｃ２は、含有量Ｃ１の１５０％〜５００％の範囲内、好ましくは、２５０％〜４００％の範囲内とされている。
【００３９】
また、第２吸収層６０の第１吸収層５８と反対側の部分６０Ａを形成する繊維には、第２吸収層６０の第１吸収層５８側の部分６０Ｂを形成する繊維よりも、繊維の親水性を持続させる耐久親水性が付与されている。なお、繊維への親水性の付与については、公知の方法を用いることができる。なお、本実施形態では、第２吸収層６０の部分６０Ａを形成する繊維に、公知の親水性繊維処理剤（一例として特許３３６２３４８号公報に記載された処理剤）を用いて耐久親水性を付与している。一方、第２吸収層６０の部分６０Ｂを形成する繊維には、一般的な親水性が付与されている。本実施形態では、第２吸収層６０を２層構造とし、部分６０Ａと部分６０Ｂとをそれぞれ別の処理を施した繊維層（一例としてエアスルー不織布）を積層することで、第２吸収層６０を形成している。
【００４０】
第１吸収層５８の第２吸収層６０と反対側の部分５８Ａを形成する繊維には、第１吸収層５８の第２吸収層６０側の部分５８Ｂを形成する繊維よりも、繊維の親水性を持続させる耐久親水性が付与されている。なお、本実施形態では、第１吸収層５８の部分５８Ａを形成する繊維に、第２吸収層６０の部分６０Ａと同様に、公知の親水性繊維処理剤を用いて耐久親水性を付与している。一方、第１吸収層５８の部分５８Ｂを形成する繊維には、一般的な親水性が付与されている。本実施形態では、第１吸収層５８を２層構造とし、部分５８Ａと部分５８Ｂとをそれぞれ別の処理を施した繊維層（一例としてエアスルー不織布）を積層することで、第１吸収層５８を形成している。
【００４１】
このように構成された吸収体５２を有する吸収性本体４０は、トップシート４２と防漏シート４４との間で、吸収体５２の溝部５６が形成された一方のシート面５２Ａがトップシート４２側に位置し、吸収体５２の他方のシート面５２Ｂが防漏シート４４側に位置するように配置されている。
【００４２】
次に本実施形態の作用について説明する。
本実施形態の吸収体５２には、一方のシート面５２Ａにシート長手方向に延びる溝部５６が形成されている。ここで、吸収体５２に対して一方のシート面５２Ａ側から液体が流入した場合、流入した液体の一部が溝部５６を通ってシート長手方向に移動しながら吸収体５２に吸収される。このように吸収体５２では、一方のシート面５２Ａ（トップシート４２側）に溝部５６を形成するため、例えば、一方のシート面が平坦な構成と比べて、液体のシート長手方向の拡散を早めることができる。これにより、吸収体５２の吸収性が向上する。
【００４３】
また、吸収体５２では、溝部５６が全長に亘って形成されているため、例えば、溝部５６を断続的に形成する構成と比べて、液体が吸収体５２のシート長手方向の両端まで連続して移動可能であり、液体をより広い範囲に拡散させることができる。これにより、液体のシート長手方向の拡散をより早めることができる。
【００４４】
また、吸収体５２では、複数の第２吸収層６０がシート幅方向に間隔をあけて第１吸収層５８に積層されて、隣り合う第２吸収層６０のそれぞれの対向面６０Ｓと第１吸収層５８の表面５８Ｓとで溝部５６が形成されている。このように吸収体５２では、第１吸収層５８に複数の第２吸収層６０を積層することで溝部５６が形成されるため、例えば、一層の吸収層に溝部５６が加工された吸収体と比べて、製造が容易になる。
【００４５】
また、吸収体５２では、第２吸収層６０の含有量Ｃ２が第１吸収層の含有量Ｃ１よりも多いため、例えば、第１吸収層５８及び第２吸収層６０の単位面積当たりの吸収性ポリマーの含有量が同じ吸収体と比べて、液体吸収時における第２吸収層６０の厚み方向の膨張量が大きくなり、溝部５６の溝深さが深くなる。このように吸収体５２では、液体を吸収することで溝部５６の溝深さが深くなるため、溝部５６を通してより多くの液体をシート長手方向に拡散させることが可能となり、液体の吸収性が向上する。
【００４６】
また、吸収体５２では、第２吸収層６０の部分６０Ａを形成する繊維に耐久親水性が付与され、第２吸収層の部分６０Ｂを形成する繊維に一般的な親水性（耐久親水性と比べて、繊維の親水性を持続させる効果がない親水性）が付与されている。
ここで、吸収体５２は、液体吸収初期では、第１吸収層５８の一般的な親水性が付与された部分５８Ｂと、第２吸収層６０の一般的な親水性が付与された部分６０Ｂとで主に液体が吸収される。そして、液体吸収中期以降において、第２吸収層６０の一般的な親水性が付与された部分の親水性の低下にともなって吸収性が低下しても、第２吸収層６０の耐久親水性が付与された部分６０Ａによって液体を吸収することが可能なため、液体の逆戻り抑制効果を期待できる。
【００４７】
また、吸収体５２では、第２吸収層６０を第１吸収層５８の中央線ＣＬを挟んでシート幅方向両側に一対配置しているため、例えば、第２吸収層を３つ以上形成する構成と比べて、第２吸収層６０を構成する部材の部品点数を減らすことができる。特に、本実施形態では、一対の第２吸収層６０を同一寸法形状としていることから、更に部品点数を減らすことができる。
【００４８】
以上のように、おむつ２０では、液体のシート長手方向の拡散を早めて液体の吸収性を向上させた吸収体５２を用いるため、着用者の快適性が向上する。
【００４９】
前述の実施形態の吸収体５２では、溝部５６を第１吸収層５８の中央線ＣＬに沿って１本形成しているが、本開示はこの構成に限定されない。例えば、第１吸収層５８に複数の溝部５６を形成してもよい。また、溝部を複数形成する場合のそれぞれの溝の断面形状については、同じでも異なっていてもよい。なお、本実施形態では、溝部５６の断面形状を略四角形状としているが、本開示はこの構成に限定されない。例えば、溝部５６の形状は、略Ｖ字状、略台形状、略円弧状であってもよい。また、溝部５６を第１吸収層５８の中央線ＣＬに沿ってジグザグ状、サイン波状、方形波状に形成してもよい。
【００５０】
前述の実施形態の吸収体５２では、溝部５６を全長に亘って形成しているが、本開示はこの構成に限定されない。例えば、溝部５６がシート長手方向に断続的に形成されてもよい。例えば、吸収体５２のシート長手方向の両端近傍のみを残して、溝部５６が連続する構成であってもよい。
【００５１】
前述の実施形態の吸収体５２では、第１吸収層５８の部分５８Ａの繊維に耐久親水性を付与し、部分５８Ｂの繊維に一般的な親水性を付与しているが、本開示はこの構成に限定されない。例えば、第１吸収層５８の部分５８Ａの繊維及び部分５８Ｂの繊維のどちらにも耐久親水性を付与してもよい。
【００５２】
また、前述の実施形態の吸収体５２では、第１吸収層５８と第２吸収層６０をそれぞれ２層構造としているが、本開示はこの構成に限定されない。例えば、第１吸収層５８と第２吸収層６０をそれぞれ単層構造としてもよいし、３層以上の構造としてもよい。なお、第２吸収層６０を３層以上の構造とする場合には、最上層を構成する繊維に耐久親水性を付与することが好ましい。
【００５３】
前述の実施形態の吸収体５２では、第１吸収層５８と第２吸収層６０のそれぞれの厚みを略同じにしているが、本開示はこの構成に限定されない。例えば、第１吸収層５８と第２吸収層６０のそれぞれの厚みが異なる厚みであってもよい。
【００５４】
前述の実施形態の吸収体５２は、オープンタイプ（テープタイプ）のおむつ２０に用いられたが、本開示はこの構成に限定されない。例えば、吸収体５２をパンツタイプの使い捨ておむつに用いてもよいし、それ以外のテープタイプとパンツタイプを組み合わせた使い捨ておむつに用いてよい。
【００５５】
以上、本開示の一実施形態について説明したが、本開示は、上記に限定されるものでなく、その主旨を逸脱しない範囲内において上記以外にも種々変形して実施することが可能であることは勿論である。
【符号の説明】
【００５６】
２０    おむつ（使い捨ておむつ）
４０    吸収性本体
４２    トップシート（肌側シート材）
４４    防漏シート（非肌側シート材）
５２    吸収体
５２Ａ  一方のシート面
５２Ｂ  他方のシート面
５４    ラップシート
５６    溝部
５８    第１吸収層
５８Ａ  部分
５８Ｂ  部分
５８Ｓ  表面
６０    第２吸収層
６０Ａ  部分
６０Ｂ  部分
６２Ｓ  対向面
ＣＬ    中央線
Ｌ      おむつの長手方向
Ｗ      おむつの幅方向
Ｔ      おむつの厚み方向
ＳＬ    吸収体のシート長手方向
ＳＷ    吸収体のシート幅方向
ＳＴ    吸収体のシート厚み方向
【要約】      （修正有）【課題】シート状の吸収体において、液体のシート長手方向の拡散を早めて液体の吸収性を向上させた吸収体を提供する。【解決手段】吸収性ポリマーを含有し、液体の吸収により膨張するシート状の吸収体であって、この吸収体の一方のシート面５２Ａにシート長手方向に延びる溝部５６が形成されている。吸収体は、第１吸収層５８及び第２吸収層６０で構成され、それぞれ吸収性ポリマーを含有する繊維層であり、前記第２吸収層の単位面積当たりの吸収性ポリマーの含有量が前記第１吸収層の単位面積当たりの吸収性ポリマーの含有量よりも多い。【選択図】図５【図１】
0006832024.tif 000002
【図２】
0006832024.tif 000003
【図３】
0006832024.tif 000004
【図４】
0006832024.tif 000005
【図５】
0006832024.tif 000006